(57)【要約】【課題】  店頭に展示されている携帯電子機器への給電を夜間において停止しても、盗難防止装置としての警戒動作を維持することができ、同時に、店頭での配線処理をすっきりさせて見栄え良く展示を行うことができる携帯電子機器の盗難防止装置を提供する。【解決手段】  盗難防止機能を有する本体３と、携帯電子機器１に固定し得る分配器５とから構成され、上記本体３と上記分配器５とを伸縮性ケーブル４で接続すると共に、本体３と分配器５とをマグネットにて着脱可能とし、ＡＣアダプタ６からの電源を本体３、分配器５を介して携帯電子機器１に供給し得るように構成し、本体３内に内部電池２１により動作可能な検出回路１４を設け、夜間において携帯電子機器１への給電を停止した状態において、携帯電子機器１が盗難されてリミットスイッチ９がオンになった場合、これを本体３の検出回路１４にて検出してアラーム音を発し、周囲に警告し得るように構成する。【選択図】  図１
2013186795.tif 000002
【特許請求の範囲】
【請求項１】
盗難防止機能を有する本体と、携帯電子機器に固定し得る分配器とから構成され、
上記本体と上記分配器とを伸縮性ケーブルで接続すると共に、上記本体と上記分配器とを着脱手段にて接続・離脱可能に構成し、
上記分配器に上記携帯電子機器に対して給電が可能な通信ケーブルを接続可能なコネクタを設け、
上記本体に電源供給用アダプタからの電源の供給を受けるコネクタを設けると共に、上記コネクタを介して入力する上記電源を、上記本体内の電源ライン及び上記伸縮性ケーブルを介して上記分配器に供給し、さらに上記電源を上記分配器の上記コネクタを介して上記携帯電子機器に供給し得るように構成し、
かつ離脱時にオン状態となる離脱検出スイッチを、常時オフ状態にて上記携帯電子機器に固定すると共に当該離脱検出スイッチを上記分配器に電気的に接続し、
上記本体は、上記離脱検出スイッチの状態を上記伸縮性ケーブルを介して常時検出しており、上記離脱検出スイッチのオン状態の検出に基づいてアラーム駆動信号を送出する離脱検出手段と、
上記携帯電子機器の電源オン状態の電位を上記通信ケーブル及び上記伸縮性ケーブルを介して常時検出しており、上記電位の低下を検出したことに基づいてアラーム駆動信号を送出する切断検出手段と、
上記各アラーム駆動信号に基づいてアラーム信号を発するアラーム音放出手段を具備しており、
かつ上記本体には上記離脱検出手段、上記切断検出手段及び上記アラーム音放出手段に電源を供給する内部電池を上記本体内の上記電源ラインとは別に具備するものであることを特徴とする携帯電子機器の盗難防止装置。
【請求項２】
離脱時にオン状態となる第２離脱検出スイッチを上記本体に設けると共に、上記本体を固定台に固定したとき上記第２離脱検出スイッチを常時オフ状態となるように設定し、
上記本体に上記第２離脱検出スイッチの状態を常時検出しており、上記第２離脱検出スイッチのオン状態の検出に基づいて上記アラーム音放出手段に対してアラーム駆動信号を送出する第２離脱検出手段を設け、
上記第２離脱検出手段に上記内部電池から電源を供給したものであることを特徴とする請求項１記載の携帯電子機器の盗難防止装置。
【請求項３】
上記切断検出手段に当該切断検出手段の機能を停止し得る機能停止スイッチを設けたものであることを特徴とする請求項１又は２記載の携帯電子機器の盗難防止装置。
【請求項４】
上記通信ケーブルはＵＳＢケーブルであり、上記分配器の上記コネクタはＵＳＢコネクタであることを特徴とする請求項１〜３の何れかに記載の携帯電子機器の盗難防止装置。
【発明の詳細な説明】
【技術分野】
【０００１】
本発明は、スマートホン、タブレットコンピュータ、携帯電話、デジタルカメラ等の携帯電子機器を店頭で展示販売する際に用いて好適な携帯電子機器の盗難防止装置に関するものである。
【背景技術】
【０００２】
従来、携帯電子機器或いは小型電子機器等を店頭にて販売する場合の盗難防止装置としては、突出ピンを有するリミットスイッチを具備した離脱検出装置を上記ピンを押し込んだ状態で上記電子機器に粘着テープ等で固定し、当該電子機器を店頭のディスプレイ枠にワイヤー等で固定し、ワイヤーの長さの範囲で上記電子機器を手にとって見ることができるようにし、上記電子機器の盗難によって上記離脱検出装置と上記電子機器とが分離したとき、上記リミットスイッチの復帰によって上記離脱検出装置がこれを検出し、アラーム音を発するようにしたものが提案されている（特許文献１，２）。
【０００３】
また、店頭にて動作をさせるには電源を常時供給しておく必要のある携帯電話器等においては、例えば充電器のコネクタと携帯電話器側の充電用端子との間に、盗難防止装置を介在させ、上記盗難防止装置において、上記携帯電話器と充電器とが分離されることによる充電電圧の低下を検出し、アラーム音を発するようにしたもの等が提案されている（特許文献３）。
【先行技術文献】
【特許文献】
【０００４】
【特許文献１】特開平７−３２０１６９
【特許文献２】実用新案登録第３０３４７０２
【特許文献３】特開２０１０−２７７３７９
【発明の概要】
【発明が解決しようとする課題】
【０００５】
ところで、上記特許文献１，２の盗難防止装置では、上記電子機器に対する給電が考慮されていないので、通常これらの電子機器に給電するためには売場の商用電源からＡＣアダプタを介して電源供給線を別途接続する必要がある。この場合、上記盗難防止装置のワイヤーとは別系統の商用電源からの電源供給線が存在することになるため、店頭でのディスプレイとしては見た目が煩雑であり、また、電源供給線が短い場合は、電子機器を操作、観察等するための自由度が低くなってしまうという課題があった。
【０００６】
一方、上記特許文献３の盗難防止装置は、何れも携帯電話器への電源供給線の途中に盗難防止装置を設けたものであり、電源供給線と盗難防止装置とが共通のケーブルを用いているので、店頭ディスプレイとしては見た目はすっきりする。しかしながら、この盗難防止装置は、携帯電話機への電源供給線から上記盗難防止装置の電源の供給を受けているので、例えば夜間等の営業時間終了時において、当該フロア全体の電源全体を落とした場合は、盗難防止装置自体も動作停止してしまい、夜間における盗難防止を行うことができないという課題がある。
【０００７】
また、上記特許文献３の盗難防止装置は、営業時間帯に電源供給線を商用電源へ接続し忘れた場合も防犯の機能はない。さらに、携帯電話器への電源供給線の途中に盗難防止装置を設けたものであり、その部分を外したらアラーム発放音で知らせるが再接続したら発報音は止む。よって防犯の見地から考えると、容易にイタズラされて機能としては最小の機能に止まるもので、元に復元してもアラーム音は止まらないという防犯機能は無い。効果的な防犯の実現という見地からすると、音で威嚇し続けることが盗難を抑えることにつながる。
【０００８】
本発明は上記課題に鑑みてなされたものであり、例えば店頭にてディスプレイされている携帯電子機器への給電を夜間等において停止しても、又は給電を忘れても、盗難防止装置としての警戒動作を維持することができ、同時に、店頭での配線処理をすっきりさせて見栄え良くディスプレイを行うことができる携帯電子機器の盗難防止装置を提供することを目的とする。
【課題を解決するための手段】
【０００９】
上記の目的を達成するため本発明は、
第１に、盗難防止機能を有する本体と、携帯電子機器に固定し得る分配器とから構成され、上記本体と上記分配器とを伸縮性ケーブルで接続すると共に、上記本体と上記分配器とを着脱手段にて接続・離脱可能に構成し、上記分配器に上記携帯電子機器に対して給電が可能な通信ケーブルを接続可能なコネクタを設け、上記本体に電源供給用アダプタからの電源の供給を受けるコネクタを設けると共に、上記コネクタを介して入力する上記電源を、上記本体内の電源ライン及び上記伸縮性ケーブルを介して上記分配器に供給し、さらに上記電源を上記分配器の上記コネクタを介して上記携帯電子機器に供給し得るように構成し、かつ離脱時にオン状態となる離脱検出スイッチを、常時オフ状態にて上記携帯電子機器に固定すると共に当該離脱検出スイッチを上記分配器に電気的に接続し、上記本体は、上記離脱検出スイッチの状態を上記伸縮性ケーブルを介して常時検出しており、上記離脱検出スイッチのオン状態の検出に基づいてアラーム駆動信号を送出する離脱検出手段と、上記携帯電子機器の電源オン状態の電位を上記通信ケーブル及び上記伸縮性ケーブルを介して常時検出しており、上記電位の低下を検出したことに基づいてアラーム駆動信号を送出する切断検出手段と、上記各アラーム駆動信号に基づいてアラーム信号を発するアラーム音放出手段を具備しており、かつ上記本体には上記離脱検出手段、上記切断検出手段及び上記アラーム音放出手段に電源を供給する内部電池を上記本体内の上記電源ラインとは別に具備するものであることを特徴とする携帯電子機器の盗難防止装置により構成される。
【００１０】
上記携帯電子機器は例えばスマートホン、タブレットコンピュータ等をいう。上記伸縮性ケーブルは例えば接続ケーブル（４）をいう。上記着脱手段は例えばマグネットを利用した突出部（５ａ）と凹部（３ａ）をいう。上記電源供給用アダプタとは、例えばＡＣアダプタ、ＤＣ充電用アダプタ等をいう。上記通信ケーブルとは例えばＵＳＢケーブル（８）をいう。上記分配器の上記コネクタとは例えばＵＳＢコネクタ（８ｂ）をいう。上記離脱検出スイッチは例えばリミットスイッチ（９）をいう。上記離脱検出手段は例えば第１リミットスイッチ検出回路（１４）をいう。上記携帯電子機器の電源オン状態の電位は、例えば携帯電子機器のオン時にＵＳＢケーブル（８）の信号線（Ｄ＋又はＤ−）のプルアップされたハイレベル電位をいう。上記切断検出手段は例えば切断検出回路（１５）をいう。上記アラーム音放出手段は例えばスピーカ駆動回路（１６）及びスピーカ（１７）をいう。上記内部電池とは例えばリチウム電池（２１）をいう。このように構成すると、離脱検出手段と切断検出手段にて携帯電子機器の盗難を効果的に監視し得ると共に、電源供給用アダプタからの携帯電子機器への電源供給ラインと、盗難防止機能を有する離脱検出手段、切断検出手段、アラーム音放出手段等に電源を供給する内部電池が別系統に構成されているので、例えば電源供給用アダプタへの商用電源の供給を止めて、携帯電子機器への給電を停止した状態であっても、離脱検出手段には内部電池より電源が供給され動作状態を維持し得るので、携帯電子機器の監視機能を維持することができる。また、携帯電子機器への電源の供給は、電源供給用アダプタを本体に接続するだけで可能となるので、上記盗難防止機能を維持しつつ携帯電子機器への電源供給線及びその他のケーブルをすっきりとまとめることができ、見栄えのよいディスプレイを行うことができる。
【００１１】
第２に、離脱時にオン状態となる第２離脱検出スイッチを上記本体に設けると共に、上記本体を固定台に固定したとき上記第２離脱検出スイッチを常時オフ状態となるように設定し、上記本体に上記第２離脱検出スイッチの状態を常時検出しており、上記第２離脱検出スイッチのオン状態の検出に基づいて上記アラーム音放出手段に対してアラーム駆動信号を送出する第２離脱検出手段を設け、上記第２離脱検出手段に上記内部電池から電源を供給したものであることを特徴とする上記第１記載の携帯電子機器の盗難防止装置により構成される。
【００１２】
上記第２離脱検出スイッチは、例えば本体に設けられたリミットスイッチ（１１）により構成することができる。上記第２離脱検出手段は例えば第２リミットスイッチ検出回路（１３）により構成することができる。このように構成すると、本体を固定台に固定したとき、本体の固定台からの離脱を検出してアラーム音を発することができるので、より高度な警戒状態を設定することができる。
【００１３】
第３に、上記切断検出手段に当該切断検出手段の機能を停止し得る機能停止スイッチを設けたものであることを特徴とする上記第１又は２記載の携帯電子機器の盗難防止装置により構成される。
【００１４】
このように構成すると、機能停止スイッチにより切断検出手段の機能を停止すれば、例えば携帯電子機器がディスプレイされているフロアの電源を落としても、切断検出手段が動作することはなく、この場合は離脱検出手段によって盗難監視状態を維持することができる。
【００１５】
第４に、上記通信ケーブルはＵＳＢケーブルであり、上記分配器の上記コネクタはＵＳＢコネクタであることを特徴とする上記第１〜３の何れかに記載の携帯電子機器の盗難防止装置により構成される。
【００１６】
このように構成すると、例えば携帯電子機器としてＵＳＢケーブルを利用し得る多くの機器、例えばスマートホン、携帯電話器等に広く使用することができる。
【発明の効果】
【００１７】
本発明は、上述のように構成されるものであるから、離脱検出手段と切断検出手段にて携帯電子機器の盗難を効果的に監視し得ると共に、電源供給用アダプタからの携帯電子機器への電源供給ラインと、盗難防止機能を有する上記各手段に電源を供給する内部電池が別系統に構成されているので、例えば節電のため電源供給用アダプタへの商用電源等の供給を停止して、携帯電子機器への給電を停止した状態であっても、離脱検出手段には内部電池より電源が供給され動作状態を維持し得るので、例えば夜間等において携帯電子機器の売場の電源を落としたとしても、携帯電子機器の監視機能を維持することができる。
【００１８】
また、携帯電子機器への電源の供給は、電源供給用アダプタを本体に接続するだけで可能なので、上記盗難防止機能を維持しつつ携帯電子機器への電源供給線及びその他のケーブルをすっきりとまとめることができ、見栄えのよいディスプレイを行うことができる。
【００１９】
また、本体を固定台に固定したとき、本体の固定台からの離脱を検出してアラーム音を発することができるので、より高度な警戒状態を設定することができる。
【００２０】
また、機能停止スイッチにより切断検出手段の機能を停止すれば、例えば携帯電子機器がディスプレイされているフロアの商用電源を落としても、切断検出手段が動作することはなく、この場合は離脱検出手段によって盗難監視状態を維持することができる。
【図面の簡単な説明】
【００２１】
【図１】本発明に係る携帯電子機器の盗難防止装置の全体構成を示す斜視図である。
【図２】同上装置の一部断面側面図である。
【図３】（ａ）は同上装置のリミットスイッチの構造図、（ｂ）は同上装置のリミットスイッチの固定状態を示す図である。
【図４】同上装置の電気的ブロック構成図である。
【図５】（ａ）は同上装置の第１、第２リミットスイッチ検出回路の構成図、（ｂ）は同上装置の切断検出回路の構成図である。
【図６】同上装置の盗難防止機能の動作手順を示すフローチャートである。
【発明を実施するための形態】
【００２２】
以下、本発明に係る携帯電子機器の盗難防止装置について詳細に説明する。
【００２３】
図１は上記携帯電子機器の盗難防止装置の全体構成を示す斜視図であり、本実施形態においては携帯電子機器の一例としてスマートホン１を使用した場合を説明する。
【００２４】
同図に示すように、本装置は、盗難防止装置の本体３と、当該本体３に螺旋状の伸縮部４’を有する電線からなる接続ケーブル（伸縮性ケーブル）４を以って接続されると共に、マグネットによって上記本体３に着脱可能な分配器５、上記本体３に電源（直流電源）を供給するためのＡＣアダプタ６を具備している。
【００２５】
上記本体３は方形の筺体形状をなし、その表面３’に半球状の凹部３ａが形成されており、当該凹部３ａ内側にはマグネット（例えばＳ極）又は磁性体製金属が固定されている。この本体３はその背面３”が固定台７の傾斜板７ａに両面テープ等によって固定される。尚、本体３の背面３”には後述のリミットスイッチ（第２離脱検出スイッチ）１１用の伸縮突起１２が設けられており（図３参照）、当該本体３を上記傾斜板７ａに固定する際は、上記リミットスイッチ１１の伸縮突起１２を上記傾斜板７ａに当接することにより縮小させて当該リミットスイッチ１１をオフ状態としておく（図３（ｂ）参照）。
【００２６】
図１において、６ａはＡＣアダプタ６の電源供給ケーブル、６ｂは上記ＡＣアダプタ６を本体３に接続するためのコネクタである。尚、上記ＡＣアダプタ６は商用電源コンセントに接続され、ＡＣ１００Ｖ〜２４０Ｖの電力の供給を受ける。尚、上記ＡＣアダプタ６に代えて、いわゆるＤＣ充電用アダプタを用いても良い（図４参照）。ここでＡＣアダプタ６、ＤＣ充電用アダプタ等を電源供給用アダプタという。
【００２７】
上記固定台７は、上記斜め前方に傾斜した上記傾斜台７ａと、該傾斜台７ａ下部より下方に垂直に延びる本体部７ｂと、当該本体部７ｂ下端より後方向けて直角に折り曲げられた脚部７ｃとからなり、所定幅の一枚の板（金属板又は樹脂板）を略変形「コ」字状に折り曲げることにより形成されている。上記脚部７ｃの板面中央には上記電源供給ケーブル６ａを挿通するための透孔７ｃ’が開口形成されている。
【００２８】
２７は、一枚の板を「コ」字状に折り曲げ形成することにより形成された基台であり、上面側に上記脚部７ｃが固定された固定板２７ａを形成している。上記固定板２７ａには上記透孔７ｃ’に連通する透孔２７ａ’が形成されており、上記電源供給ケーブル６ａが挿通されている。
【００２９】
上記分配器５は、上記本体３より若干小さい大きさの方形の筺体形状をなし、その裏面５’には上記凹部３ａ内に嵌合可能な大きさの半球状の突出部５ａが形成され、当該突出部５ａ内にはマグネット（例えばＮ極）が収納固定されている。そして、上記分配器５はその突出部５ａを上記凹部３ａ内に嵌合することで、上記分配器５と上記本体３を磁気的に吸着し得るように構成されている（図２参照）。
【００３０】
図２に示すように、上記分配器５の表面５”は両面テープ等によってスマートホン１の裏面１’に固定される。従って、通常は、図２に示すように、スマートホン１は分配器５の突出部５ａを上記本体３の凹部３ａに磁気的に嵌合吸着することにより、上記傾斜台７ａと同一角度に固定されているが、客がスマートホン１を手にとって持ち上げることにより、上記突出部５ａと上記凹部３ａとの磁気的な吸着は容易に解除され、上記接続ケーブル４の伸縮範囲において、客はスマートホン１を自由に操作し観察することができるように構成されている。
【００３１】
上記分配器５は、上記ＡＣアダプタ６を介して本体３に供給され、かつ上記接続ケーブル４を介して当該分配器５に入力される電源を、ＵＳＢケーブル８を介してスマートホン１に供給する機能を有している。８ａはスマートホン１の充電用コネクタ、８ｂはＵＳＢコネクタである。尚、ＵＳＢ（ユニバーサル・シリアル・バス）とは、シリアルデータを転送するためのバス規格の一つであり、データ通信用の信号線Ｄ＋，Ｄ−、電力を供給するＶＢＵＳ、及びグランドの４本のラインを有する。
【００３２】
９はリミットスイッチ（離脱検出スイッチ）であり、図２に示すように接着面９ａに伸縮突起１０（図３参照）が設けられている。このリミットスイッチ９の上記伸縮突起１０は常時突出しており、突出状態で電気的にオン状態となり、図３（ｂ）のように縮小状態とすると電気的にオフ状態となる公知のセンサースイッチである。このリミットスイッチ９は上記接着面９ａを上記スマートホン１の表面上端部に両面テープ等で接着固定されており、この状態では上記伸縮突起１０は縮小されてオフ状態となっている（図３（ｂ）の状態）。
【００３３】
このリミットスイッチ９はケーブル９ｂを介してコネクタ９ｃにより上記分配器５に接続されている。そして、上記リミットスイッチ９と上記スマートホン１とが分離され、上記リミットスイッチ９がオン状態となった場合は、上記分配器５、上記接続ケーブル４を介して上記本体３にて検出し得るように構成されている。
【００３４】
次に、本発明の電気的構成を図４に基づいて説明する。
まず、本体３の上記コネクタ６ｂには本体３内のコネクタ６ｂ’を介して電源ライン１８が接続されており、当該電源ライン１８は本体３内の４ピンのコネクタ１９の１番ピン（電源供給線）に接続されている。このコネクタ１９の１番ピンには、上記接続ケーブル４の電源供給ライン４ａが接続されており、当該電源供給ライン４ａは上記分配器５内のコネクタ２０の１番ピン（電源供給線）に接続されている。
【００３５】
上記分配器５内において上記コネクタ２０の１番ピンは、電源供給ライン２０ａを介して上記分配器５内のＵＳＢコネクタ８ｂ’の１番ピン（ＶＢＵＳ）に接続されており、上記コネクタ８ｂ’に接続された上記ＵＳＢコネクタ８ｂの１番ピン（ＶＢＵＳ）、上記ＵＳＢケーブル（通信ケーブル）８の電源供給ライン、上記充電用コネクタ８ａを介してスマートホン１の電源供給部に接続されている。従って、上記ＡＣアダプタ６より供給される電源は、上記本体３内の電源ライン１８、電源供給ライン４ａ、分配器５の電源供給ライン２０ａ、上記ＵＳＢケーブル８を介してスマートホン１に供給されるように構成されており、この電源供給経路は上記本体３内の盗難防止回路２８の内部電池２１（リチウム電池）とは別系統となっている。
【００３６】
上記本体３内には、該本体３の上記リミットスイッチ（第２離脱検出スイッチ）１１に接続され、常時上記リミットスイッチ１１の状態を監視しており、上記リミットスイッチ１１のオフ状態（本体３の傾斜台７ａからの離脱）を検出すると、スピーカ駆動回路１６にアラーム駆動信号を送出する第２リミットスイッチ検出回路（第２離脱検出手段）１３（図５（ａ））、上記スマートホン１に固定された上記リミットスイッチ９の状態を常時監視しており、上記リミットスイッチ９のオフ状態（スマートホン１からのリミットスイッチ９の離脱）を上記分配器５、上記接続ケーブル４の信号ライン４ｂ（２番ピン）を介して検出すると、上記スピーカ駆動回路１６にアラーム駆動信号を送出する第１リミットスイッチ検出回路１４（図５（ａ））、常時上記スマートホン１の電圧（例えばプルアップ電位）をＵＳＢケーブル８、分配器５、信号ライン４ｃ（３番ピン）を介して監視しており、上記スマートホン１が盗まれる等して、上記スマートホン１と上記分配器５又は本体３との接続が切断され、これによる上記スマートホン１の電圧の低下を検出すると、上記スピーカ駆動回路１６にアラーム駆動信号を送出する切断検出回路（切断検出手段）１５（図５（ｂ））とを有している。
【００３７】
上記第２リミットスイッチ検出回路１３は、例えば図５（ａ）に示す構成からなるものであり、リミットスイッチ１１がオフ状態のときは、ＮＯＴ回路２５の入力がハイレベルとなり、ＮＯＴ回路２５の出力がローレベル状態なので、トランジスタ２６がオフしており、アラーム駆動信号は送出されない。一方、上記スマートホン１が盗難される等して上記リミットスイッチ１１がオン状態になると、ＮＯＴ回路２５の入力側がローレベルとなるため、ＮＯＴ回路２５の出力側がハイレベルとなり、トランジスタ２６がオン状態となって上記スピーカ駆動回路１６にアラーム駆動信号が送出されるように構成されている。
【００３８】
上記第１リミットスイッチ検出回路１４の入力部は上記コネクタ１９の２番ピンの信号線にライン１４’により接続されている。上記コネクタ１９の２番ピンは、上記信号ライン４ｂを介して上記分配器５の上記コネクタ２０の２番ピンに接続されており、上記分配器５内において、上記２番ピンとコネクタ９ｃ’がライン２０ｂにて接続され、上記リミットスイッチ９のコネクタ９ｃと上記分配器５内の上記コネクタ９ｃ’が接続されている。
【００３９】
よって、上記スマートホン１と上記リミットスイッチ９が外される等して上記リミットスイッチ９がオン状態になると、当該状態を上記分配器５、信号ライン４ｂ、上記コネクタ１９、上記ライン１４’を介して上記第１リミットスイッチ検出回路１４にて検出し得るように構成されている。
【００４０】
この第１リミットスイッチ検出回路１４の構成は上記第２リミットスイッチ検出回路１３と同様であり（図５（ａ）参照）、上記リミットスイッチ９がオン状態になると、ＮＯＴ回路２５の入力側がローレベルとなるため、ＮＯＴ回路２５の出力側がハイレベルとなり、これによりトランジスタ２６がオン状態となって上記スピーカ駆動回路１６にアラーム駆動信号が送出されるように構成されている。
【００４１】
上記切断検出回路１５の入力部はライン１５’を介して上記コネクタ１９の３番ピン（信号線）に接続されている。上記コネクタ１９の３番ピンは信号ライン４ｃを介して上記分配器５の上記コネクタ２０の３番ピンに接続されており、上記分配器５内においてライン２０ｃを介してＵＳＢコネクタ８ｂ’（３番ピン、Ｄ＋又はＤ−）に接続され、上記ＵＳＢコネクタ８ｂ（３番ピン、Ｄ＋又はＤ−）、上記ＵＳＢケーブル８の信号ライン、上記充電用コネクタ８ａを介してスマートホン１本体に接続されている。
【００４２】
上記切断検出回路１５は、上記スマートホン１に上記ＡＣアダプタ６からの電源が供給され、スマートホン１の電源がオンになると、例えばＵＳＢケーブル８の信号線（３番ピンＤ＋又はＤ−）がハイレベル電位（プルアップ電位）になるので、当該ハイレベル電位をＵＳＢケーブル８の信号ライン、ＵＳＢコネクタ８ｂ，８ｂ’（３番ピン）、分配器５のコネクタ２０（３番ピン）、信号ライン４ｃ、本体３のコネクタ１９（３番ピン）、ライン１５’を介して常時検出し得るように構成する。
【００４３】
そして、上記スマートホン１が上記充電用コネクタ８ａから離脱される、或いは分配器５と本体３とが離脱される等して、上記本体３又は上記分配器５と上記スマートホン１とが分離されると、上記本体３内において上記ハイレベル電位が消勢するため、上記切断検出回路１５は当該電位の低下を検出し、当該検出に基づいて上記スピーカ駆動回路１６にアラーム駆動信号を送出するように構成されている。
【００４４】
この切断検出回路１５の構成は図５（ｂ）に示すように上記第１リミットスイッチ検出回路１４と略同様であり、上記スマートホン１の電位がハイレベルとのきはＮＯＴ回路２５の出力がローレベルとなり、よってトランジスタ２６はオフ状態となるためアラーム駆動信号は送出されない。上記スマートホン１が盗難される等して、ＮＯＴ回路２５の入力がローレベルとなると、その出力がハイレベルとなるためトランジスタ２６がオン状態となって上記スピーカ駆動回路１６にアラーム駆動信号が送出されるように構成されている。
【００４５】
上記切断検出回路１５において１５ａは当該検出回路１５の機能を停止する機能停止スイッチであり、例えば、夜間等において当該盗難防止装置が設置されるフロアの商用電源を落とした場合に、スマートホン１が盗難されていないのに切断検出回路１５が動作してアラーム音が鳴ることを防止するものである。よって、フロアの電源を落とす場合は、上記解除スイッチ１５ａをオフして上記切断検出回路１５を動作不能状態とすることができる。
【００４６】
１６はスピーカ駆動回路であり、上記各検出回路１３〜１５から上記アラーム駆動信号の入力があると、スピーカ１７を駆動してアラーム音を発するものである。１６ａはリセットスイッチであり、当該スイッチ１６ａをオフすることで上記アラーム音を停止するものである。
【００４７】
２１は上記第１リミットスイッチ検出回路１４、上記第２リミットスイッチ検出回路１３、上記切断検出回路１５、上記スピーカ駆動回路１６から構成される盗難検出回路２８に電源を供給し得る内部電池であり、リチウム電池により構成されている。２２はリセットスイッチである。
【００４８】
本発明は上述のように構成されるものであり、次に本発明の動作を図６に示す盗難検出回路２８の動作フローチャートと共に説明する。
【００４９】
まず、ＡＣアダプタ６、本体３、分配器５、スマートホン１を図２に示すように接続し、分配器５の突出部５ａを上記本体３の凹部３ａに嵌合接続しているものとする。
【００５０】
この状態においてＡＣアダプタ６から電源供給ケーブル６ａ、本体３、電源ライン１８、コネクタ１９（１番ピン）、接続ケーブル４の電源供給ライン４ａ、分配器５のコネクタ２０（１番ピン）、電源供給ライン２０ａ、ＵＳＢコネクタ８ｂ，８ｂ’（ＶＢＵＳ）、ＵＳＢケーブル８、充電用コネクタ８ａを介してスマートホン１に電源が供給される。また、盗難検出回路２８にはリチウム電池２１から電源が供給されている。さらに、上記切断検出回路１５の機能停止スイッチ１５ａはオン状態であり（図６Ｓ３）、当該切断検出回路１５は動作状態にあるものとする（図６Ｓ６）。
【００５１】
上記スマートホン１は上記電源が供給されその電源がオン状態になると、ＵＳＢケーブル８の信号線（３番ピン）がハイレベル電位となるので、当該ハイレベル電位がライン２０ｃ、分配器５のコネクタ２０（３番ピン）、信号ライン４ｃ、本体３のコネクタ１９（３番ピン）、ライン１５’を介して切断検出回路１５にて検出される。
【００５２】
この状態においては、リミットスイッチ９はオフ、リミットスイッチ１１はオフなので、第２リミットスイッチ検出回路１３は、リミットスイッチ１１のオフを検出し（図６Ｓ１）、第１リミットスイッチ検出回路１４は、分配器５のコネクタ９ｃ’、ライン２０ｂ、信号線４ｂ、コネクタ１９、ライン１４’を介してリミットスイッチ９のオフを検出するため（図６Ｓ２）、何れもアラーム駆動信号を送出しない。
【００５３】
また、上記切断検出回路１５も上記ライン１５’を介してスマートホン１のハイレベル電位を検出しているため（図６Ｓ６）、アラーム駆動信号を送出しない。かかる状態は、盗難の監視状態であり、店頭の客はスマートホン１を手にとり、上方に引き上げることで、上記分配器５の突出部５ａと上記本体３の凹部３ａとの磁気的吸着を容易に解除することができ、上記客は上記接続ケーブル４の伸縮範囲において、上記スマートホンを自由に操作することができる。
【００５４】
このとき、スマートホン１が盗難にあい、上記スマートホン１が上記リミットスイッチ９から外されたとき、上記リミットスイッチ９の伸縮突起１０が突出して当該リミットスイッチ９がオン状態となるので、上記第１リミットスイッチ検出回路１４は、上記ケーブル９ｂ、分配器５、信号ライン４ｂ、ライン１４’を介して上記リミットスイッチ９のオンを検出し（図６Ｓ１）、スピーカ駆動回路１６にアラーム駆動信号を送出する（図６Ｓ７）。
【００５５】
すると上記スピーカ駆動回路１６はスピーカ１７を駆動してアラーム音を発する。よって、売場周囲にスマートホン１が盗まれた旨の警告を発することができる。
【００５６】
その後、店員等が上記リセットボタン１６ａを押すことにより上記スピーカ駆動回路１６の上記スピーカ駆動動作を中止することができる（図６Ｓ８，Ｓ９）。その後はステップＳ１，Ｓ２，Ｓ６の監視状態に復帰する。
【００５７】
次に、上記本体３が傾斜台７ａから取り外されることにより、本体３と共にスマートホン１が盗難された場合は、上記リミットスイッチ１１の伸縮突起１２が突出して当該リミットスイッチ１１がオン状態となるので、上記第２リミットスイッチ検出回路１３は、上記リミットスイッチ１１のオンを検出し（図６Ｓ１）、スピーカ駆動回路１６にアラーム駆動信号を送出する（図６Ｓ７）。
【００５８】
すると上記スピーカ駆動回路１６はスピーカ１７を駆動してアラーム音を発する（図６Ｓ７）。よって、売場周囲にスマートホン１が盗まれた旨の警告を発することができる。その後、店員等が上記リセットボタン１６ａを押すことにより上記スピーカ駆動回路１６の上記スピーカ駆動動作を中止することができる（図６Ｓ８，Ｓ９）。その後はステップＳ１，Ｓ２，Ｓ６の監視状態に復帰する。
【００５９】
次に、上記リミットスイッチ９及び上記リミットスイッチ１１はオフ状態を維持しているが、上記接続ケーブル４が切断される、或いは上記接続ケーブル４が本体３又は分配器５から外される、ＵＳＢケーブル８が外される等してスマートホン１が盗難された場合は、上記切断検出回路１５に入力していた上記ハイレベル電位が消勢するため、切断検出回路１５がこれを検出し（図６Ｓ６）、上記スピーカ駆動回路１６にアラーム駆動信号を送出する（図６Ｓ７）。
【００６０】
すると上記スピーカ駆動回路１６はスピーカ１７を駆動してアラーム音を発する（図６Ｓ７，Ｓ８）。よって、売場周囲にスマートホン１が盗まれた旨の警告を発することができる。
【００６１】
その後、同様に店員等は上記リセットボタン１６ａを押すことにより上記スピーカ駆動回路１６の上記スピーカ駆動動作を中止することができる（図６Ｓ８，Ｓ９）。その後はステップＳ１，Ｓ２，Ｓ６の監視状態に復帰する。
【００６２】
次に、節電等のために夜間において当該スマートホン１が展示してあるフロアの商用電源を落とす場合は、予め切断検出回路１５の機能停止スイッチ１５ａをオフして当該切断検出回路１５を機能停止状態としておく（図６Ｓ３，Ｓ４，Ｓ５）。その後、上記商用電源を落とせばよい。尚、このとき上記盗難防止回路２８にはリチウム電池２１から依然として電源が供給されているので、上記ＡＣアダプタ６への商用電源の供給を停止しても、上記盗難防止回路２８の動作は停止することはない。
【００６３】
上記ＡＣアダプタ６への商用電源の供給を停止すると、上記スマートホン１に対する電源の供給も停止する。このとき、上記スマートホン１の充電電位が十分に高ければ直ちにスマートホンの電源がオフされることはなく、プルアップ電位もハイレベル電位を保持するが、昼間のディスプレイ時の頻繁な使用等により充電電位が低下している場合は、スマートホン１の電源もオフ状態となる。
【００６４】
上記スマートホン１の電源がオフすると、上記スマートホン１のＵＳＢコネクタ８ｂ，８ｂ’の３番ピンの電位が低下するので、これを上記切断検出回路１５が検出してアラーム駆動信号を送出するが、上記機能停止スイッチ１５ａがオフしているので、上記駆動信号はスピーカ駆動回路１６に送出されず、よって、上記商用電源オフ時において、上記スマートホン１の電源がオフしてもアラーム音は鳴ることはない。
【００６５】
一方、上記商用電源オフ時において、リミットスイッチ９が上記スマートホン１から離脱される、又は本体３が固定台７から離脱される等してスマートホン１が盗難された場合、上記リミットスイッチ９のオン又は上記リミットスイッチ１１のオンを上記第１リミットスイッチ検出回路１４又は上記第２リミットスイッチ検出回路１３が検出し得るので（図６Ｓ１，Ｓ２）、上記スピーカ駆動回路１６にアラーム駆動信号が送出され、アラーム音を発することができる（図６Ｓ７，Ｓ８）。
【００６６】
このように夜間等においてフロアの商用電源を落とした状況においても、展示してあるスマートホン１等の警戒状態を維持することができる。
【００６７】
尚、上記スマートホン１に十分に充電がなされており商用電源を落としてもスマートホン１の電源オン状態を長時間維持できる場合は、上記切断検出回路１５は上記スマートホン１のハイレベル電位の検出を維持できるので、同回路１５の上記機能停止スイッチ１５ａをオフする必要はない。この場合は、夜間等において商用電源を落とした後も、切断検出回路１５を含めた上記第１及び第２のリミットスイッチ検出回路１４，１３の監視機能を維持することができる。
【００６８】
上記切断検出回路１５は上記ＵＳＢケーブル８を介して携帯電子機器の電源オン時のプルアップ電位を検出するように構成したが、上記電源ライン１８の充電電圧を常時監視しておき、携帯電子機器が電源ラインから外されることにより、充電電圧の異常（電圧低下）を検出したときに、アラーム駆動信号を送出するように構成しても良い。
【００６９】
本発明は、上述のように、第１、第２リミットスイッチ検出回路１４，１３と切断検出回路１５にてスマートホン１の盗難を効果的に監視し得ると共に、ＡＣアダプタ６からのスマートホン１への電源ライン１８等と、盗難防止回路２８に電源を供給する内部電池２１が別系統に構成されているので、例えば節電のためＡＣアダプタ６への商用電源の供給を停止して、スマートホン１への給電を停止した状態であっても、盗難防止回路２８には内部電池２１より電源が供給され動作状態を維持し得るので、例えば夜間等においてスマートホン１の売場の商用電源を落としたとしても、スマートホン１等の携帯電子機器の監視機能を維持することができる。
【００７０】
また、スマートホン１への電源の供給は、ＡＣアダプタ６を本体３に接続するだけで可能であり、本体３とスマートホン１（分配器５）は１本の接続ケーブル４で接続されているので、上記盗難防止機能を維持しつつスマートホン１への電源供給線及びその他のケーブル類をすっきりとまとめることができ、見栄えのよいディスプレイを行うことができる。
【００７１】
また、本体３とスマートホン１（分配器５）は伸縮性の接続ケーブル４にて接続されているので、接続ケーブルの伸縮範囲でスマートホン１を自由に操作観察することができ、ディスプレイ用機器としての自由度を高めることができる。
【００７２】
また、本体３を固定台７に固定したとき、本体３の固定台７からの離脱を検出してアラーム音を発することができるので、より高度な警戒状態を設定することができる。
【００７３】
また、機能停止スイッチ１５ａにより切断検出回路１５の機能を停止すれば、例えばスマートホン１がディスプレイされているフロアの商用電源を落としても、切断検出回路１５が動作することはなく、この場合は第１又は第２リミットスイッチ検出回路１４又は１３によって盗難監視機能を維持することができる。
【００７４】
さらに、本体３又は分配器５とスマートホン１が接続されている状態であっても、リミットスイッチ９，１１がオン状態となればアラーム音を発して警告し得るし、逆に、上記リミットスイッチ９，１１とスマートホン１が接続されている状態であっても、ＵＳＢケーブル８、接続ケーブル４がスマートホン１又は本体３から離脱されたときにアラーム音を発して警告し得るので、高度な警戒状態を維持することができる。
【産業上の利用可能性】
【００７５】
本発明は、スマートホン、携帯電話、タブレットコンピュータ、デジタルカメラ等の多種の携帯用電子機器の店頭用の盗難防止装置として広く利用することができる。
【符号の説明】
【００７６】
１                    スマートホン（携帯電子機器）
３                    本体
３ａ                  凹部
４                    接続ケーブル（伸縮性ケーブル）
５                    分配器
６                    ＡＣアダプタ
６ｂ                  コネクタ
７                    固定台
８                    ＵＳＢケーブル（通信ケーブル）
８ｂ                  コネクタ（ＵＳＢコネクタ）
９                    リミットスイッチ（離脱検出スイッチ）
１１                  リミットスイッチ（第２離脱検出スイッチ）
１３                  第２リミットスイッチ検出回路（第２離脱検出手段）
１４                  第１リミットスイッチ検出回路（離脱検出手段）
１５                  切断検出回路（切断検出手段）
１５ａ                機能停止スイッチ
１６                  スピーカ駆動回路
１７                  スピーカ
１８                  電源ライン
２１                  リチウム電池（内部電池）
【図１】
2013186795.tif 000003
【図２】
2013186795.tif 000004
【図３】
2013186795.tif 000005
【図４】
2013186795.tif 000006
【図５】
2013186795.tif 000007
【図６】
2013186795.tif 000008